(57)【要約】【課題】放送されるコンテンツを受信する場合に、受信信号減衰の影響を解消する。【解決手段】録画装置（１００）は、コンテンツを提供するサーバ装置（６）と通信する。録画装置は、放送波で送信されるコンテンツをアンテナを介し受信するための放送受信部と、データ通信網経由でサーバ装置と通信するための通信部と、コンテンツを受信するときのアンテナの受信電波の強度を検出する受信強度検出部と、受信強度検出部により検出された電波強度に基づくコンテンツの取得要求を、通信部を介しサーバ装置へ送信するための要求部と、を備える。通信部は、サーバ装置から送信されるコンテンツを受信する。【選択図】図２
2014093718.tif 000002
【特許請求の範囲】
【請求項１】
コンテンツを提供するサーバ装置と通信するための端末装置であって、
前記端末装置は、
放送波で送信される前記コンテンツをアンテナを介し受信するための放送受信部と、
データ通信網経由で前記サーバ装置と通信するための通信部と、
前記コンテンツを受信するときの前記アンテナの受信電波の強度を検出する受信強度検出部と、
前記受信強度検出部により検出された電波強度に基づく前記コンテンツの取得要求を、前記通信部を介し前記サーバ装置へ送信するための要求部と、を備え、
前記通信部は、前記サーバ装置から送信される前記コンテンツを受信する、端末装置。
【請求項２】
前記放送受信部により受信される前記コンテンツを、録画部に録画させるための録画制御部を、さらに備え、
前記録画制御部は、
前記録画部に、検出された前記受信電波の強度を関連付けて前記コンテンツを録画させ、
前記要求部は、
録画されたコンテンツが再生されるとき、前記サーバ装置から当該コンテンツを未受信の場合に、当該コンテンツに関連付けられた前記受信電波の強度に基づく前記取得要求を送信する、請求項１に記載の端末装置。
【請求項３】
端末装置と通信するコンテンツを提供するためのサーバ装置であって、
前記端末装置は、
放送波で送信される前記コンテンツをアンテナを介し受信するための放送受信部と、
データ通信網経由で前記サーバ装置と通信するための通信部と、
前記コンテンツを受信するときの前記アンテナの受信電波の強度を検出する受信強度検出部と、
前記受信強度検出部により検出された電波強度に基づく前記コンテンツの取得要求を、前記通信部を介し前記サーバ装置へ送信するための要求部と、を備え、
前記通信部は、前記サーバ装置から送信される前記コンテンツを受信し、
前記サーバ装置は、
前記受信電波の強度に基づく前記取得要求を受信すると、当該受信電波の強度と、予め定められた電波強度との比較に基づき、要求された前記コンテンツを前記端末装置に送信するコンテンツ送信部を、備える、サーバ装置。
【請求項４】
請求項１または２に記載の端末装置と、当該端末装置と通信する請求項３に記載のサーバ装置と、を備える、システム。
【請求項５】
前記サーバ装置は、複数の前記端末装置と通信し、
前記端末装置は、
前記受信強度検出部により検出された電波強度を示す電波強度データと、検出された時間を示す時間情報と、当該端末装置が配置された地域を示す地域識別情報と、を含む電波情報を、前記通信部から前記サーバ装置に送信し、
前記サーバ装置は、
前記複数の端末装置から受信する前記電波情報に基づき、前記地域識別情報が示す地域毎の、前記時間情報が示す各時間において検出される電波強度と、予め定められた気象条件における電波強度との比較から、当該地域の各時間における気象を推測する気象推測部と、
推測される前記気象を示す気象情報を配信する気象情報配信部と、をさらに含む、請求項４に記載のシステム。
【請求項６】
前記サーバ装置は、
前記複数の端末装置から受信する前記電波情報に基づき、同一の地域の端末装置のうち、検出される電波強度が他の端末装置で検出される電波強度から乖離している前記端末装置を検出し、当該端末装置に対し、予め定められた通知情報を送信する、請求項５に記載のシステム。
【請求項７】
コンテンツを提供するサーバ装置と通信するための端末装置を用いる通信方法であって、
放送波で送信される前記コンテンツをアンテナを介し受信するステップと、
データ通信網経由で前記サーバ装置と通信するステップと、
前記コンテンツを受信するときの前記アンテナの受信電波の強度を検出するステップと、
検出された前記電波強度に基づく前記コンテンツの取得要求を、前記通信するステップにおいて前記サーバ装置へ送信するステップと、を備え、
前記通信するステップでは、前記サーバ装置から送信される前記コンテンツを受信する、通信方法。
【発明の詳細な説明】
【技術分野】
【０００１】
本発明は映像処理装置に関し、特に、放送コンテンツを受信する端末装置に関する。
【背景技術】
【０００２】
従来の録画機器は、録画指示（録画予約）に基づき、指定のチャンネルを指定の時刻、時間内で受信した番組などのデータを録画機器のＨＤＤ（Hard Disk Drive）等に保存している。再生時は、そのデータを読み出すのみで、データの品質等には関与していない。したがって、ＢＳデジタル放送の番組を録画予約し、予約した時間帯に豪雨があり降雨により受信電波強度が低くなり受信信号が減衰した場合には、録画されたデータにもノイズが混入した状態、または受信不可状態となってしまい、再生時にも、品質の悪い情報（画像、音声など）を視聴することになるとの課題があった。
【０００３】
このような課題を解決するために、特許文献１（特開平８−１２９０７３号公報）では、ＢＳ放送波をＢＳ受信アンテナにより受信して、受信電波の電界強度の減衰を検出し、検出した減衰に関する情報をコンピュータに送出するようにして、ＢＳ放送波受信地点で、いつどの程度の降雨が起こるかを予測する方法が提案されている。
【０００４】
また、特許文献２（特開２００４−１７９９７７号公報）では、データ放送の下位の階層のコンテンツを選択するチューナが、放送電波の降雨減衰等で受信動作を停止するような場合に、制御装置は、映像信号の信号レベルからその受信動作を監視し、受信動作が停止した際には、学習リモコンを動作させて受信動作復帰時にチューナが元のコンテンツを選択する方法が提案されている。
【０００５】
また、特許文献３（特開２００５−６５２３２号公報）では、降雨減衰を伴って受信されるストリームデータの、それ自体では訂正ができないエラー部分を含んで記録されたデータを、通信ネットワークを介して得た更新用データにより修正して再生するストリームデータ記録再生装置が提案される。
【先行技術文献】
【特許文献】
【０００６】
【特許文献１】特開２０１０−１３０１６９号公報
【特許文献２】特開２００４−１７９９７７号公報
【特許文献３】特開２００５−６５２３２号公報
【発明の概要】
【発明が解決しようとする課題】
【０００７】
しかしながら、特許文献１と２では、降雨による減衰時に受信している放送のデータを再度、取得する方法は提案されておらず、上記の課題を解消することはできない。また、特許文献３では、装置は放送局から受信するトランスポートストリーム信号においてエラーを含むＴＳパケットを検出すると、ＴＳパケット番号情報に基づいて、放送時に受信エラーとなったＴＳデータ部分をインターネット配信局から受信するから、装置側でエラーを含むＴＳパケットの特定が誤れば、正しい更新用データを取得できないおそれがある。
【０００８】
それゆえに、本発明の目的は、放送波で送信されるコンテンツを受信する場合に、受信信号の減衰の影響を解消することができる端末装置を提供することである。
【課題を解決するための手段】
【０００９】
この発明のある局面に従う端末装置は、コンテンツを提供するサーバ装置と通信するための端末装置である。
【００１０】
端末装置は、放送波で送信されるコンテンツをアンテナを介し受信するための放送受信部と、データ通信網経由でサーバ装置と通信するための通信部と、コンテンツを受信するときのアンテナの受信電波の強度を検出する受信強度検出部と、受信強度検出部により検出された電波強度に基づくコンテンツの取得要求を、通信部を介しサーバ装置へ送信するための要求部と、を備える。通信部は、サーバ装置から送信されるコンテンツを受信する。
【００１１】
好ましくは、放送受信部により受信されるコンテンツを、録画部に録画させるための録画制御部を、さらに備え、録画制御部は、録画部に、検出された受信電波の強度を関連付けてコンテンツを録画させ、要求部は、録画されたコンテンツが再生されるとき、サーバ装置から当該コンテンツを未受信の場合に、当該コンテンツに関連付けられた受信電波の強度に基づく取得要求を送信する。
【００１２】
好ましくは、端末装置と通信するコンテンツを提供するためのサーバ装置であって、端末装置は、放送波で送信されるコンテンツをアンテナを介し受信するための放送受信部と、データ通信網経由でサーバ装置と通信するための通信部と、コンテンツを受信するときのアンテナの受信電波の強度を検出する受信強度検出部と、受信強度検出部により検出された電波強度に基づくコンテンツの取得要求を、通信部を介しサーバ装置へ送信するための要求部と、を備え、通信部は、サーバ装置から送信されるコンテンツを受信する。
【００１３】
サーバ装置は、受信電波の強度に基づく取得要求を受信すると、当該受信電波の強度と、予め定められた電波強度との比較に基づき、要求されたコンテンツを端末装置に送信するコンテンツ送信部を、備える。
【００１４】
この発明のさらに他の局面に従うシステムは、上記の端末装置と、当該端末装置と通信する上記のサーバ装置と、を備える。
【００１５】
好ましくは、上記のシステムにおいて、サーバ装置は、複数の端末装置と通信し、端末装置は、受信強度検出部により検出された電波強度を示す電波強度データと、検出された時間を示す時間情報と、当該端末装置が配置された地域を示す地域識別情報と、を含む電波情報を、通信部からサーバ装置に送信する。
【００１６】
サーバ装置は、複数の端末装置から受信する電波情報に基づき、地域識別情報が示す地域毎の、時間情報が示す各時間において検出される電波強度と、予め定められた気象条件における電波強度との比較から、当該地域の各時間における気象を推測する気象推測部と、推測される気象を示す気象情報を配信する気象情報配信部と、をさらに含む。
【００１７】
好ましくは、上記のシステムのサーバ装置は、複数の端末装置から受信する電波情報に基づき、同一の地域の端末装置のうち、検出される電波強度が他の端末装置で検出される電波強度から乖離している端末装置を検出し、当該端末装置に対し、予め定められた通知情報を送信する。
【００１８】
この発明のさらに他の局面に従う、コンテンツを提供するサーバ装置と通信するための端末装置を用いる通信方法は、放送波で送信されるコンテンツをアンテナを介し受信するステップと、データ通信網経由でサーバ装置と通信するステップと、コンテンツを受信するときのアンテナの受信電波の強度を検出するステップと、検出された電波強度に基づくコンテンツの取得要求を、通信するステップにおいてサーバ装置へ送信するステップと、を備え、通信するステップでは、サーバ装置から送信されるコンテンツを受信する。
【発明の効果】
【００１９】
本発明によれば、端末装置は、放送波で送信されるコンテンツを受信する場合に、検出された電波強度に基づくコンテンツの取得要求を、通信部を介しサーバ装置へ送信し、通信部は、サーバ装置からデータ通信網経由で送信されるコンテンツを受信することにより、電波強度の低下に伴う減衰の影響のないをコンテンツを取得することができる。
【図面の簡単な説明】
【００２０】
【図１】本発明の実施の形態に従うシステム構成を模式的に示す図である。
【図２】図１のシステムの機能を模式的に示す図である。
【図３】本発明の実施の形態に従う録画装置の機能ブロック図である。
【図４】本発明の実施の形態に係る録画装置の記憶部に格納されるデータの一例を示す図である。
【図５】本発明の実施の形態に係るサーバ装置の構成図である。
【図６】本発明の実施の形態に係る録画装置の主制御部の機能構成を示す図である。
【図７】本発明の実施の形態に係るサーバ装置の機能構成を示す図である。
【図８】本発明の実施の形態に係る録画装置の電波強度検出を伴う処理フローチャートである。
【図９】本発明の実施の形態に係るコンテンツ再生時の処理フローチャートである。
【図１０】本発明の実施の形態に係る気象情報配信の処理フローチャートである。
【発明を実施するための形態】
【００２１】
以下、図面を参照しつつ、発明の各実施の形態について説明する。以下の説明では、同一の部品には同一の符号を付してある。それらの名称および機能も同じである。したがって、それらについての詳細な説明は繰り返さない。
【００２２】
[実施の形態１]
本実施の形態で放送波で送信されるコンテンツは、画像、音声などの各種情報からなるマルチメディア型のコンテンツを含む。
【００２３】
本実施の形態では、放送衛星を用いたデジタル放送（ＢＳ放送、ＣＳ放送など）のコンテンツを視聴または録画中にアンテナの受信電波の強度を予め定められた電波強度と比較する。受信電波強度が予め定められた電波強度以下であると判定されたときには、録画機器などの端末装置は、電波情報（電波強度に関するデータ（通常時との差でもよい）、当該端末装置が配置された地域の地域識別情報（郵便番号など）、判定した時間情報、受信チャンネル情報等）をサーバ装置側に送信する。合わせて、録画機器は、録画したコンテンツについて、受信電波強度に関する情報を記録する。
【００２４】
予め定められた電波強度以下であると判定された放送コンテンツを視聴（再生時の視聴も含む）する際、または録画機器が使用されていない夜間等の予め定められた時間帯に、端末装置には、サーバ装置からコンテンツ格納部の当該コンテンツがデータ通信網経由で一括して送信される。端末装置側はサーバ装置からコンテンツを受信する（または、録画されている放送コンテンツを受信コンテンツで差替える）。放送コンテンツに代替して、データ通信網経由で受信したコンテンツを出力することで、受信電波強度の低下の影響（ノイズなど）のないコンテンツを視聴することができる。
【００２５】
また、サーバ装置は、複数の端末装置から収集した電波情報を解析し、地域ごとの降水量等の気象を推測する。サーバ装置は、推測した気象情報を配信する。したがって、サーバ装置は、電波情報から、比較的に狭い地域の気象情報を推測し配信することができる。
【００２６】
図１は、本発明の実施の形態に従うシステム構成を模式的に示す図である。図２は、図１のシステムの機能を模式的に示す図である。
【００２７】
図１と図２を参照して、システムは、複数の放送コンテンツ９００を格納する放送局コンテンツサーバ装置２と、放送局コンテンツサーバ装置２に格納された放送コンテンツ９００を放送波として送信する基地局４と、基地局４から送信された放送コンテンツ９００を受信し、受信した放送コンテンツ９００をディスプレイに表示し、また録画する端末装置である録画装置１００と、コンピュータに相当する機能を有するサーバ装置６とを備える。サーバ装置６は、本実施の形態では、放送コンテンツ９００に対応した蓄積放送コンテンツ８００（後述する）を録画装置１００に提供する。サーバ装置６は、録画装置１００からの取得要求に応じて、要求されている放送コンテンツ９００に対応する蓄積放送コンテンツ８００をコンテンツ格納部から検索し、データ通信網経由で送信する。
【００２８】
録画装置１００は、放送波で放送コンテンツ９００を受信時に受信電波強度が予め定められた電波強度以下となり、受信信号に減衰が生じて放送コンテンツにノイズが含まれる場合に、ノイズのない放送コンテンツを取得するために、データ通信網経由による通信波によりサーバ装置６に取得要求を送信し、サーバ装置６から取得要求した蓄積放送コンテンツ８００を受信し、蓄積放送コンテンツ８００を放送コンテンツ９００に代替して表示部であるテレビ（またはモニタ）に表示させ、録画部であるＨＤＤに録画させる。
【００２９】
また、サーバ装置６は、複数の録画装置１００からデータ通信網を介して収集した後述の電波情報を解析し、解析結果から気象を推測し、気象情報を配信する。
【００３０】
図３は、本発明の実施の形態に従う録画装置１００の機能ブロック図である。図３を参照して、録画装置１００は、当該装置の主制御を行う主制御部１０１と、データ通信網の一種であるキャリア網による通信用のアンテナ１０３を接続し当該アンテナを介した通信を制御する通信制御部１０２と、放送コンテンツの表示部およびスピーカを有するテレビなどを制御する表示制御部１０６と、ユーザが装置を操作するためのキーを制御するキー制御部１０７と、プログラムおよびデータを格納する不揮発性および揮発性の記憶部（ＲＯＭ（Read Only Memory）１０８およびＲＡＭ（Random Access Memory）１０９）を備える。
【００３１】
さらに、マルチメディア放送用のアンテナ２０３を接続し、アンテナ２０３を介したマルチメディア放送のチューナ制御を行う放送チューナ制御部２０２と、マルチメディア放送の主制御を行う放送主制御部２０１と、録画予約など録画機能を制御するための録画制御部３０１、蓄積放送コンテンツ８００を取得するための取得要求を生成し送信するための蓄積データ要求部３０２、受信するコンテンツの録画部に相当しＨＤＤなどを含んで構成される録画データ格納部３０６、および録画データ格納部３０６のコンテンツを再生する再生機能を制御する再生制御部３０７を備える。
【００３２】
主制御部１０１は、マイクロコンピュータに相当し、ＣＰＵ（Central Processing Unit）およびタイマ等を含む。
【００３３】
キー制御部１０７は、録画・再生などの操作（視聴・録画チャンネル、録画時間などの指定操作、再生する録画コンテンツの指定操作など）を受付け、受付けた操作内容をＣＰＵに出力する。ＣＰＵは操作内容に基づく指令を各部に出力する。
【００３４】
通信制御部１０２は、データ通信網としてＷｉＦｉ（（登録商標）：Wireless Fidelity），３ＧＰＰ（3rd Generation Partnership Project）によるデータ通信を実行するデータ通信制御部の機能を備えてもよい。
【００３５】
再生制御部３０７は、再生時のコンテンツの取得先を切替える再生切替部を有し、再生切替部は、録画データ格納部３０６に録画された放送コンテンツ９００に代替して、サーバ装置６から受信する蓄積放送コンテンツ８００を再生する。
【００３６】
図４は、本発明の実施の形態に係る録画装置１００の記憶部に格納されるデータの一例を示す図である。図４を参照して、録画装置１００の記憶部は、録画装置１００に固有の情報を格納するための領域Ｅ０、１つ以上の番組情報４０３を格納するための領域Ｅ１、録画されたコンテンツを示す１つ以上の録画情報５００を格納するための領域Ｅ２、受信した１つ以上の蓄積放送コンテンツ８００に対応の代替コンテンツ情報６００を格納するための領域Ｅ３、およびサーバ装置６から配信された１つ以上の気象情報を示す受信気象情報を格納するための領域Ｅ４を含む。ここでは、領域Ｅ０、Ｅ１およびＥ４は、たとえばＲＡＭ１０９の領域を示し、領域Ｅ２およびＥ３は録画データ格納部３０６の領域を示す。
【００３７】
領域Ｅ０の録画装置１００に固有の情報は、録画装置１００を識別するための端末ＩＤ（Identification）４００、放送波の受信電波強度を判定するために参照される電波強度閾値４０１、および録画装置１００が位置する地域を識別するための地域識別情報４０２を含む。地域識別情報４０２は、当該地域に割当された郵便番号としているが、郵便番号に限定されない。電波強度閾値４０１は、たとえば放送信号の降雨減衰を判定するための受信電波強度を示す。
【００３８】
領域Ｅ１の番組情報４０３は、視聴／録画したコンテンツの放送時間を示す時間情報４Ａおよび放送チャンネルを示すＣＨ（チャンネルの略）情報４Ｂを含む。番組情報４０３は、ユーザがキー制御部１０７を介し入力する情報、または受信するＥＰＧ（電子番組ガイド）から抽出する情報を示す。
【００３９】
領域Ｅ２は、録画装置１００が受信するコンテンツであって、録画されたコンテンツ番組に関する録画情報５００を１つ以上格納する。録画情報５００は、対応するコンテンツ自体を示す録画データ５Ｂ、録画データ５Ｂに関連付けてデータＦＬＧおよび当該録画情報５００を一意に識別するためのＩＤ（Identification）５Ａを含む。データＦＬＧは、関連の録画データ５Ｂの放送波のコンテンツが受信されているときに検出される受信電波強度が、電波強度閾値４０１以下となった（これを減衰と称する場合がある）か否かを示すデータであり、たとえば減衰有りなら“１”がセットされ、減衰無しならば“０”がセットされる。
【００４０】
領域Ｅ３は、減衰が発生した録画データ５Ｂに対応した代替コンテンツ情報６００は、当該代替コンテンツ情報６００を一意に識別するためのＩＤ（Identification）６Ａと、減衰が発生した録画データ５Ｂについて、サーバ装置６から受信した蓄積放送コンテンツ８００（すなわち、減衰による影響が生じていない放送コンテンツ９００に相当）を示す代替用データ６Ｂを含む。領域Ｅ２の１つ以上の録画情報５００のうち、データＦＬＧが“１”がセットされた録画情報５００に対応して、領域Ｅ３には代替コンテンツ情報６００が格納される。領域Ｅ２の録画情報５００と領域Ｅ３の代替コンテンツ情報６００とは、ＩＤ５ＡとＩＤ６Ａにより関連付けられる。すなわち、代替コンテンツ情報６００が領域Ｅ３に格納されるとき、対応する録画情報５００のＩＤ５Ａと同じ値を示すＩＤ６Ａを有する代替コンテンツ情報６００が格納される。
【００４１】
図５は、本発明の実施の形態に係るサーバ装置６の構成図である。サーバ装置６は、ＣＰＵ６０１、入力部６０３、出力部６０４、通信Ｉ／Ｆ（Interface）６０５、および記憶部６０２を備える。通信Ｉ／Ｆ６０５は、放送局コンテンツサーバ装置２、録画装置１００および端末装置２００と通信する機能を有する。
【００４２】
記憶部６０２は、揮発性および不揮発性のメモリからなり、録画装置１００および端末装置２００を認証するための１つ以上の認証情報９１０、放送コンテンツ９００のそれぞれに対応する蓄積放送コンテンツ８００、各地域の天気などの気象を示す気象情報７００、および各録画装置１００から受信する端末データ９５０を含むデータが格納される。
【００４３】
認証情報９１０は、気象情報７００を配信サービスするために参照されるデータであって、会員登録されたユーザまたは端末（録画装置１００または端末装置２００）を認証するためのログインＩＤ（Identification）、パスワードおよび端末ＩＤ（Identification：携帯電話の電話番号、通信アドレスなど）を含む。
【００４４】
端末データ９５０は、録画装置１００を一意に識別するための端末ＩＤ（Identification）９Ａ、検出された電波強度データ９Ｂ、録画装置１００が設置された地域を識別する地域識別情報（郵便番号など）９Ｃ、電波強度データ９ＢおよびＣＨ情報９Ｅを含む。時間情報９Ｄは、電波強度データ９Ｂを検出時の時間を示し、ＣＨ情報９Ｅは、電波強度データ９Ｂを検出時に視聴／録画していたチャンネルを示す。
【００４５】
図６は、本発明の実施の形態に係る録画装置１００の主制御部１０１の機能構成を示す図である。主制御部１０１のＣＰＵは、アンテナ２０３の受信電波の強度を検出するための受信強度検出部１１１、検出される受信電波強度について判定する判定部１１２と、放送コンテンツおよびサーバ装置６から送信されるコンテンツを受信するコンテンツ受信部１１４とを含む。受信強度検出部１１１は、放送チューナ制御部２０２が電圧センサ（図示せず）などを用いて測定するアンテナ２０３の出力電圧を入力し、測定され電圧値と所定のアンテナファクタを用いた所定演算式に従い、受信電波の強度を示すＲＳＳＩ（Received Signal Strength Indicator）値（単位：ｄＢｍ）を算出する。なお、受信電波強度の検出方法は、これに限定されない。
【００４６】
判定部１１２は、検出される受信電波強度と領域Ｅ０の電波強度閾値４０１とを比較する比較部１１３を有し、比較の結果に基づき、受信電波強度が電波強度閾値４０１以下であるか否か、すなわち減衰有りか否かを判定する。判定の結果は、蓄積データ要求部３０２に出力される。
【００４７】
コンテンツ受信部１１４は、放送チューナ制御部２０２が指定のチャンネルに基づきチューニングして受信したコンテンツを入力し、また、通信制御部１０２がデータ通信網経由でサーバ装置６から受信するコンテンツを入力する。
【００４８】
ここで、放送コンテンツ９００および蓄積放送コンテンツ８００は、複数ブロックに時間分割した動画ファイル形式を有し、予め定めたフォーマットのＴＳ（Transport Stream)パケットに分割されて送信される。ＴＳパケットはヘッダと、番組の映像データ・音声データなどを格納するための本体部とを含む。コンテンツ受信部１１４は、入力したコンテンツのＴＳパケットについて復号、誤り訂正、データ補間等の処理をした後に出力する。とりわけ、放送コンテンツ９００は、降雨減衰などにより受信電波強度が低下すると、十分な誤り訂正またはデータ補間ができずに、ノイズまたはデータ欠損が生じた状態で表示または録画されるおそれがあるが、その場合には、本実施の形態では、サーバ装置６から降雨減衰による影響（ノイズまたはデータ欠損など）を受けていない蓄積放送コンテンツ８００を取得することができる。
【００４９】
図７は、本発明の実施の形態に係るサーバ装置６の機能構成を示す図である。図７を参照して、サーバ装置６のＣＰＵ６０１は、コンテンツ送信部１０Ａ、気象推測部１０Ｂおよび気象情報配信部１０Ｃを含む。これらは、予めプログラムとして記憶部６０２に格納されており、ＣＰＵ６０１が記憶部６０２からプログラムを読出し、読出したプログラムを実行する。また、これら各部は、プログラムのみならず、プログラムと回路の組合わせにより構成されてもよい。
【００５０】
コンテンツ送信部１０Ａは、録画装置１００からデータ通信網経由で受信電波の強度に基づくコンテンツの取得要求を受信すると、取得要求に基づき記憶部６０２を検索し、検索により読出した蓄積放送コンテンツ８００を要求元の録画装置１００にデータ通信網経由で送信する。
【００５１】
（フローチャート）
図８は、本発明の実施の形態に係る録画装置の減衰検出時の処理フローチャートである。図９は、本発明の実施の形態に係るコンテンツ再生時の処理フローチャートである。これら、フローチャートに従うプログラムは録画装置１００のＲＯＭ１０８に予め格納されて、主制御部１０１のＣＰＵがＲＯＭ１０８からプログラムを読出し実行することにより、処理が実現される。図１０は、本発明の実施の形態に係る気象情報配信サービス利用時の処理フローチャートである。このフローチャートに従うプログラムは録画装置１００のＲＯＭ１０８等の記憶部または端末装置２００の記憶部に予め格納されて、録画装置１００または端末装置２００のＣＰＵが記憶部からプログラムを読出し実行することにより、処理が実現される。
【００５２】
ここでは、リアルタイムに放送コンテンツ９００を受信中に減衰を検出した場合に、録画装置１００は受信電波強度を示す強度データを含む電波情報をサーバ装置６に送信するとともに、減衰が検出された放送コンテンツ９００が録画される場合には、検出された受信電波強度を録画された放送コンテンツに関連付けて格納する。
【００５３】
サーバ装置６のＣＰＵ６１０は、放送コンテンツ９００の蓄積放送コンテンツ８００を作成し、記憶部６０２に予め格納する。本実施の形態では、蓄積放送コンテンツ８００について、それに紐付く放送コンテンツ９００の放送開始のタイミング、もしくはリアルタイム放送の時間帯よりも以前に生成されるとする。なお、蓄積放送コンテンツ８００を記憶部６０２に予め格納しておく方法に限定されず、録画装置１００から取得要求を受信したタイミングで、リアルタイムに放送コンテンツ９００の当該ストリームデータから動画ファイルへ切出しエンコード処理などを行うことにより、蓄積放送コンテンツ８００を生成する方法であってもよい。
【００５４】
図８を参照して、まず、録画指定されたチャンネル（録画予約のチャンネルも含む）の放送コンテンツ９００を録画しながら別チャンネルの放送コンテンツ９００を受信しテレビで視聴する処理を説明する。
【００５５】
録画制御部３０１は、録画制御部３０１は、放送主制御部２０１に録画情報（チャンネル、時間等の情報）を出力する。放送主制御部２０１は、入力する録画情報に基づき放送チューナ制御部２０２にチューニングのためのデータを出力する。放送チューナ制御部２０２は、放送主制御部２０１からのデータに基づき図示しないチューナのチューニング動作を制御する。これにより、アンテナ２０３を介して放送コンテンツ９００が受信される。録画制御部３０１は、録画情報に基づき番組情報４０３を生成し、領域Ｅ３に格納するとともに、コンテンツ受信部１１４を介し受信するコンテンツについて録画情報５００を生成しＲＡＭ１０９の領域Ｅ２に格納する。番組情報には、リアルタイム放送の録画データ５Ｂ、データＦＬＧ（初期値は“０”）およびＩＤ５Ａが登録される。また、放送主制御部２０１は、テレビで視聴するチャンネル情報に基づき放送チューナ制御部２０２にチューニング動作させる。これにより、アンテナ２０３を介してテレビで視聴するための放送コンテンツ９００が受信されて、コンテンツ受信部１１４および表示制御部１０６を介し、テレビなどに出力される。
【００５６】
録画制御部３０１は、録画情報に基づき番組情報４０３を生成し、領域Ｅ３に格納するとともに、受信するコンテンツについて録画情報５００を生成しＲＡＭ１０９の領域Ｅ２に格納する。録画情報５００には、リアルタイム放送の放送コンテンツ９００の録画データ５Ｂ、データＦＬＧ（初期値は“０”）およびＩＤ５Ａが登録される。
【００５７】
受信強度検出部１１１は、アンテナ２０３の受信電波強度を検出し、判定部１１２は、検出された電波強度から減衰の有無を判定する（ステップＳ３）。減衰無しと判定されると（ステップＳ３でＮＯ）、ステップＳ３の処理が繰り返される。
【００５８】
減衰有りと判定されると（ステップＳ３でＹＥＳ）、主制御部１０１のＣＰＵはタイマが出力する現在時刻を入力する（ステップＳ５）。また視聴中のチャンネル番号を取得し、これらを時間情報４ＡおよびＣＨ情報４Ｂとして有する番組情報４０３を生成し、ＲＡＭ１０９の領域Ｅ１に格納する（ステップＳ７）。
【００５９】
次に、ＣＰＵは録画中であるか否かを判定する（ステップＳ９）。この場合、録画中と判定されて（ステップＳ９でＹＥＳ）、ステップＳ１１に移行する。
【００６０】
ステップＳ１１では、主制御部１０１のＣＰＵは録画中のチャンネル番号を取得し、これらをステップＳ５で入力した現在時間と、録画チャンネルとを時間情報４ＡおよびＣＨ情報４Ｂとして有する番組情報４０３を生成し、ＲＡＭ１０９の領域Ｅ１に格納する。また、リアルタイム放送の放送コンテンツ９００の録画データ５Ｂに対応する、データＦＬＧの値を、初期値“０”から“１”に書換える。
【００６１】
その後、ＣＰＵの電波情報送信部は電波情報を生成し（ステップＳ１３）、通信制御部１０２を介し、サーバ装置６に送信する（ステップＳ１５）。電波情報は、端末ＩＤ４００、地域識別情報４０２、ステップＳ５で入力した減衰検出時間を示す時間情報、ステップＳ７の受信チャンネルの情報、および受信電波強度を示す強度データを含む。
【００６２】
また、放送コンテンツ９００のテレビによるリアルタイムの視聴のみが行われて録画動作が行われていない場合には、図８でステップＳ３、Ｓ５およびＳ７の処理の後、録画中でないと判定される（ステップＳ９でＮＯ）。また、放送コンテンツ９００の録画動作のみが行われて、テレビによるリアルタイム視聴が行われていない場合には、図８でステップＳ３およびＳ７（ステップＳ５はパス）の処理の後、録画中であると判定される（ステップＳ９でＮＯ）。いずれの場合も、その後は、上記の電波情報が生成されて（ステップＳ１３）、生成された電波情報はデータ通信網経由でサーバ装置６に送信される（ステップＳ１５）。
【００６３】
図９を参照して、蓄積放送コンテンツ８００の取得処理について説明する。ここでは、再生制御部３０７が放送コンテンツ９００の録画データ５Ｂを再生するとき、蓄積データ要求部３０２は、当該録画データ５Ｂに関連付けされているデータＦＬＧが減衰有りの値（“１”）を示すと判定し、且つ領域Ｅ３を当該録画データ５Ｂに対応したＩＤ５Ａに基づき検索し、対応の代替コンテンツ情報６００が格納されていない（すなわち、サーバ装置６から対応の蓄積放送コンテンツ８００を未受信）と判定すると、取得要求を生成し、通信制御部１０２を介しサーバ装置６に送信する。取得要求は、録画データ５Ｂのコンテンツを一意に識別するための情報として、録画情報５００に対応の番組情報４０３の時間情報４ＡとＣＨ情報４Ｂを含む。
【００６４】
動作において、まず、ＣＰＵは録画データ５Ｂの再生が指示されたか否かを判定する（ステップＳ２１）。再生でないと判定すると（ステップＳ２１でＮＯ）、ダウンロード（図中はＤＬと略す）要求があるか否かを判定する（ステップＳ２３）。このダウンロード要求は、キー制御部１０７からの操作内容に基づく手動の取得要求またはバッチ処理などの自動による取得要求である。ダウンロード要求がないと判定すると（ステップＳ２３でＮＯ）、ステップＳ２１の処理に戻る。
【００６５】
一方、ダウンロード要求があると判定すると（ステップＳ２３でＹＥＳ）、取得要求を生成する（ステップＳ３３、ステップＳ２７）。具体的には、領域Ｅ２のデータＦＬＧの値が“１”を示す録画情報５００のうちダウンロード要求が示す放送コンテンツ９００に対応した録画情報５００に対応の番組情報４０３を検索し、当該番組情報４０３の放送コンテンツ９００を識別するための時間情報４ＡおよびＣＨ情報４Ｂを有する取得要求を生成する。なお、バッチ処理によりダウンロード要求が送信される場合は、領域Ｅ２のデータＦＬＧが“１”の録画情報５００に対応する番組情報４０３の全てについて取得要求が生成される。
【００６６】
ステップＳ２１に戻り、録画データの再生と判定されると（ステップＳ２１でＹＥＳ）、再生が指定された録画コンテンツに対応の録画情報５００のデータＦＬＧの値に基づき“減衰有り”か否かが判定される（ステップＳ２５）。減衰有りと判定されないと（ステップＳ２５でＮＯ）、処理は終了する。
【００６７】
一方、減衰有りと判定された場合には（ステップＳ２５でＹＥＳ）、取得要求を生成する（ステップＳ２７）。具体的には、再生が指定された録画情報５００に対応の番組情報４０３を検索し、当該番組情報４０３の放送コンテンツ９００を識別するための時間情報４ＡおよびＣＨ情報４Ｂを有する取得要求を生成する。
【００６８】
ステップＳ２７で取得要求が生成されると、取得要求は端末ＩＤ４００が付加されて、通信制御部１０２を介しサーバ装置６宛に送信される（ステップＳ２９）。
【００６９】
サーバ装置６では、録画装置１００から取得要求を受信すると、コンテンツ送信部１０Ａは、取得要求から放送コンテンツ９００の識別情報を抽出し、抽出した識別情報に基づき記憶部６０２を検索し、対応する蓄積放送コンテンツ８００を、取得要求に付された端末ＩＤを付与して、データ通信網経由で送信する。
【００７０】
要求元の録画装置１００は、蓄積データ要求部３０２は、サーバ装置６から受信した蓄積放送コンテンツ８００を、領域Ｅ３の代替コンテンツ情報６００として格納する（ステップＳ３１）。代替コンテンツ情報６００は、受信した蓄積放送コンテンツ８００を示す代替用データ６Ｂと、取得要求生成のために参照した録画情報５００のＩＤ５Ａと同じ値を示すＩＤ６Ａとを含む。
【００７１】
図９のフローチャートに従えば、録画装置１００は、録画情報５００のうちデータＦＬＧが“１”を示す放送コンテンツ９００については、すなわち減衰有りの録画コンテンツについては、減衰の影響がない対応の蓄積放送コンテンツ８００をサーバ装置から受信し、領域Ｅ３に代替用データ６Ｂとして格納することができる。
【００７２】
なお、蓄積放送コンテンツ８００を受信した場合には、対応の録画情報５００を削除するとしてもよい。また蓄積放送コンテンツ８００を受信した場合には、録画情報５００の削除に代替して、当該録画情報５００のデータＦＬＧの値を“１”→“０”に変更するとしてもよい。
【００７３】
（録画コンテンツの再生）
再生制御部３０７は、再生指示された録画コンテンツについて、その録画情報５００のデータＦＬＧから減衰有りと判定した場合には、再生するべきコンテンツを、対応の代替コンテンツ情報６００の代替用データ６Ｂに切替える。これにより、減衰の影響がないコンテンツを再生することができる。
【００７４】
（気象情報の収集と配信）
サーバ装置６の気象推測部１０Ｂは、各録画装置１００が図８の処理フローチャートに従って送信する電波情報（端末ＩＤ４００、地域識別情報４０２、減衰検出時間を示す時間情報、受信チャンネルの情報、および受信電波強度を示す強度データを含む）を受信すると、端末データ９５０として記憶部６０２に格納する。格納した端末データ９５０に基づき、地域識別情報が示す地域毎の、時間情報が示す各時間において検出される電波強度と、予め定められた気象条件における電波強度との比較から、当該地域の各時間における気象を定期的に推測する。推測された気象情報７００は記憶部６０２に格納される。なお、気象条件における電波強度としては、晴れ、曇り、風、降雨（降雨量毎）、降雪、霧、黄砂、降灰などの各種気象条件において予め実験などで測定した放送波の受信電波強度を含む。
【００７５】
図１０は、本発明の実施の形態に係る気象情報配信の処理フローチャートである。気象情報配信部１０Ｃは、図１０のフローチャートに従って、気象推測部１０Ｂにより推測される降雨量など気象を示す気象情報７００を要求元の端末（録画装置１００または端末装置２００）に配信する。気象情報７００は、地域毎に推測した気象データからなる。ここでは、会員登録されたユーザを対象に気象情報配信サービスが実施されると想定する。
【００７６】
図１０を参照して、気象情報配信部１０Ｃは、データ通信網経由で端末から気象情報配信要求を受信すると、受信した配信要求の端末ＩＤに基づき記憶部６０２の認証情報９１０を検索し、検索結果から、会員登録されたユーザであるかを判定する（ステップＳ３９）。未登録と判定すると（ステップＳ３９でＮＯ）、新たな認証情報９１０を追加登録するための会員登録処理が行われる（ステップＳ４１）。
【００７７】
登録済と判定すると（ステップＳ３９でＹＥＳ）、気象情報配信部１０Ｃは要求元の端末周辺地域の気象データを気象情報７００から検索し、データ通信網経由で配信する（ステップＳ４３）。要求元の端末は、周辺地域の気象データを受信し、表示部に出力し、または記憶部に格納する（図４の領域Ｅ４参照）。ここで、録画装置１００からの気象情報配信要求には、周辺地域を特定するために地域識別情報４０２が含まれる。また、移動体でも有り得る端末装置２００の場合には、ＧＰＳ（Global positioning system）機能を利用して取得した自己の現在位置情報を含む気象情報配信要求を送信する。
【００７８】
（他の通知）
サーバ装置６は、複数の録画装置１００から受信する電波情報に基づき、同一の地域の録画装置１００のうち、同一の時間で検出される電波強度が他の録画装置１００で検出される電波強度から乖離している録画装置１００を検出し、当該録画装置１００に対し、データ通信網経由で予め定められた通知情報を送信する。録画装置１００は、通知情報を受信すると、テレビなどに表示し、ユーザに対し通知を音声または画像で提示する。
【００７９】
たとえば、同一地域の他の録画装置１００は、減衰有りを検出しないのに対して、当該地域のある録画装置１００のみ減衰有りを検出して電波情報を送信する録画装置１００の場合は、または同一地域の録画装置１００の検出電波強度の代表値（中央値、平均値など）から予め定めた値だけ低いと判定された録画装置１００の場合は、当該録画装置１００のアンテナ２０３の出力電圧が異常検出されている可能性がある。このような場合には、当該録画装置１００に対しアンテナに関するチェック要の通知情報を送信するとしてもよい。
【００８０】
同一地域の他の録画装置１００は、同じ受信チャンネルで減衰有りを検出しないのに対して、当該地域のある録画装置１００のみ当該受信チャンネルで減衰有りを検出するケースが頻繁であれば、当該ある録画装置１００に対してチューナとアンテナに関するチェック要の通知情報を送信するとしてもよい。
【００８１】
[実施の形態２]
上記の実施の形態では、録画装置１００に電波強度の検出および判定、取得要求の送信機能などを備えるようにしたが、これら機能は録画装置１００に代替してＳＴＢ（Set  Top  Box）などの別の端末装置に備えるとしてもよい。つまり、別の端末装置に電波強度の検出および判定、サーバ装置６との通信機能も備えるようにし、別の端末装置は放送波およびデータ通信網で受信するコンテンツ（放送コンテンツ９００、および蓄積放送コンテンツ８００）を録画機器またはテレビに送信するとしてもよい。
【００８２】
[実施の形態３]
録画装置１００は、判定部１１２の比較部１１３による比較結果に基づき減衰有りと判定された放送コンテンツ９００について取得要求を送信したが、録画装置１００に代替してサーバ装置６が減衰の有無を判定するとしてもよい。
【００８３】
その場合には、録画装置１００の受信強度検出部１１１が出力する検出電波強度は、判定部１１２をスルーして、蓄積データ要求部３０２に出力される。蓄積データ要求部３０２は、検出電波強度を示す強度データを含む取得要求を生成し、通信制御部１０２を介しサーバ装置６宛てに送信される。サーバ装置６のコンテンツ送信部１０Ａは取得要求から抽出した受信電波の強度と、電波強度閾値４０１に相当する予め定められた電波強度との比較から、減衰無しと判定したときには検索およびコンテンツ送信を行わないが、減衰有りと判定したときには、当該取得要求に基づき記憶部６０２を検索し、検索により読出した蓄積放送コンテンツ８００を要求元の録画装置１００にデータ通信網経由で送信する。
【００８４】
[実施の形態４]
図９のフローチャートでは、録画された放送コンテンツ９００についてのデータＦＬＧに基づき、蓄積放送コンテンツ８００の取得要求を送信するようにしているが、取得要求の送信対象は録画制御部３０１により録画されたコンテンツに限定されない。たとえば、図８で録画中でないと判定された（ステップＳ９でＮＯ）場合において、減衰有りと判定された（ステップＳ３でＹＥＳ）テレビ等で視聴のみする放送コンテンツ９００についても、蓄積データ要求部３０２は、対応の番組情報４０３を用いて取得要求を生成して送信し、サーバ装置６から蓄積放送コンテンツ８００を受信するとしてもよい。受信した蓄積放送コンテンツ８００は、録画され、または視聴中の放送コンテンツ９００に代替してテレビ等に出力される。
【００８５】
[実施の形態５]
図９のステップＳ２５では、データＦＬＧの値が“１”を示すか否かにより減衰の有無を判定したが、データＦＬＧが録画時に検出した受信電波強度を示すように変更し、ステップＳ２５では、データＦＬＧの受信電波強度と電波強度閾値４０１を比較することで、減衰の有無を判定するとしてもよい。
【００８６】
（実施の形態の効果）
上記の実施の形態によれば、降雨等で受信電波強度が低くなり放送信号が減衰するような場合には、蓄積放送コンテンツ８００を受信し、これを再生することにより、録画装置１００でノイズがのってしまった録画データ５Ｂに代替してノイズのないクリアな代替用データ６Ｂを再生し視聴することが可能となる。
【００８７】
また、録画装置１００は、受信電波強度とともに地域識別情報４０２をサーバ装置６に送信することにより、サーバ装置６は各地域の気象情報７００（現在の気象状況および気象予報の情報を含む）を推測する。したがって、ゲリラ豪雨等、予測が難しい気象状況を推測、気象予報を推測し、配信することができる。
【００８８】
[実施の形態６]
上述した実施の形態では、フローチャートに従うプログラムは、録画装置１００またはサーバ装置６に付属するメモリカード（図示せず）などのように、ＣＰＵがメモリドライバを介して読取り可能な記録媒体に非一時的に記録させて、プログラム製品として録画装置１００に提供することもできる。あるいは、ネットワークを介して予め定められた記憶領域へのダウンロードによって、プログラムを提供することもできる。
【００８９】
提供されるプログラム製品は、プログラム自体と、プログラムが記録された記録媒体とを含む。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９１】
２  放送局コンテンツサーバ装置、４  基地局、６  サーバ装置、１０Ａ  コンテンツ送信部、１０Ｂ  気象推測部、１０Ｃ  気象情報配信部、１００  録画装置、１１１  受信強度検出部、１１４  コンテンツ受信部、２００  端末装置、３０２  蓄積データ要求部、３０６  録画データ格納部、３０７  再生制御部、４０１  電波強度閾値、６００  代替コンテンツ情報、７００  気象情報、８００  蓄積放送コンテンツ、９００  放送コンテンツ。
【図１】
2014093718.tif 000003
【図２】
2014093718.tif 000004
【図３】
2014093718.tif 000005
【図４】
2014093718.tif 000006
【図５】
2014093718.tif 000007
【図６】
2014093718.tif 000008
【図７】
2014093718.tif 000009
【図８】
2014093718.tif 000010
【図９】
2014093718.tif 000011
【図１０】
2014093718.tif 000012